(57)【要約】【課題】ストローク特性可変エンジンにおける複数のリンクにおける潤滑性を向上し、軽量化かつ高剛性化を促進する。【解決手段】ピストン３とクランクシャフト６との間を連結する複数のリンクの１つのリンク５とエンジン本体に支持されたエキセントリックシャフト１３とを連結するコントロールリンク１２とを有し、エキセントリックシャフトを回動させることでピストンストロークを変化させるようにしてなるストローク特性可変エンジンにおいて、１つのリンクがクランクピン孔と連結軸の軸支孔とを有し、クランクピン孔から軸支孔に潤滑油を流す潤滑油路の軸線を連結軸の外周の接線方向に略一致させることにより、連結軸の回転を助長して潤滑性を大幅に向上することができる。各孔を外囲する各ボス部と潤滑油路を形成する突条部とを連結して剛性を高くする。【選択図】図１
2008064056.tif 000002
【特許請求の範囲】
【請求項１】
ピストンとクランクシャフトとの間を連結する複数のリンクと、前記複数のリンクの１つのリンクに一端部を回動自在に連結されたコントロールリンクと、エンジン本体に移動自在に設けられかつ前記コントロールリンクの他端部を揺動自在に支持するコントロールシャフトとを有し、前記コントロールシャフトを移動させることでピストンストロークを変化させるようにしてなるストローク特性可変エンジンであって、
前記各リンク同士を連結する連結軸に潤滑油を供給するための潤滑油路が少なくとも前記１つのリンクに設けられ、
前記潤滑油路の前記連結軸に臨む側の軸線が前記連結軸の外周面の接線方向に向いていることを特徴とするストローク特性可変エンジン。
【請求項２】
前記１つのリンクが、前記クランクシャフトのクランクピンに回動自在に支持されるクランクピン孔を有し、当該クランクピン孔により前記クランクピンを径方向に挟むように分割されかつボルトにより結合された２つの分割体からなり、
前記潤滑油が前記クランクピンを介して前記クランクピン孔に供給され、
前記潤滑油路が、前記クランクピン孔に連通し、かつ前記ボルトから離れた側に設けられていることを特徴とする請求項１に記載のストローク特性可変エンジン。
【請求項３】
前記１つのリンクに２つの連結軸が設けられ、
前記１つのリンクにおける前記２つの連結軸を軸支する２つの軸支孔と前記クランクピン孔との間の部分に薄肉部が形成され、
前記潤滑油路が、前記クランクピン孔の外周部分と前記２つの軸支孔の各外周部分とを結ぶように延在しかつ前記薄肉部よりも厚くされた各突条部内に形成されていることを特徴とする請求項２に記載のストローク特性可変エンジン。
【請求項４】
前記１つのリンクに前記２つの軸支孔の各外周部分間を連結するリブが設けられ、かつ当該リブが前記各突条部にも連結されていることを特徴とする請求項３に記載のストローク特性可変エンジン。
【請求項５】
前記突条部が、前記ボルトを受容するボルトボス部にも連結されていることを特徴とする請求項２乃至請求項４のいずれかに記載のストローク特性可変エンジン。
【請求項６】
前記潤滑油路が、前記１つのリンクの揺動範囲において、前記潤滑油路が設けられていない他のリンクに対して前記クランクシャフトの軸方向から見て重ならない部分を有することを特徴とする請求項１乃至請求項５のいずれかに記載のストローク特性可変エンジン。
【請求項７】
前記潤滑油路が、前記ピストンからの最大爆発荷重が前記連結軸に作用する際に前記連結軸と前記軸支孔との隙間が大きくなる側に設けられていることを特徴とする請求項１乃至請求項６のいずれかに記載のストローク特性可変エンジン。
【請求項８】
前記潤滑油路の中心と前記ボルトを挿入するボルト孔の中心とが前記クランクシャフトの軸方向にずれて配設されていることを特徴とする請求項２乃至請求項７のいずれかに記載のストローク特性可変エンジン。
【発明の詳細な説明】
【技術分野】
【０００１】
本発明は、ストローク特性可変エンジンに関し、特に、ストローク特性を変化させるための複数のリンクを有するストローク特性可変エンジンに関するものである。
【背景技術】
【０００２】
ピストンとクランクシャフトとの間を複数のリンクで連結し、これら複数のリンクのいずれか１つとエンジン本体に支持されたエキセントリックシャフトの偏心軸とを連結するコントロールリンクとを有し、エキセントリックシャフトを回動させることでピストンストロークを変化させるようにしたストローク特性可変エンジンが知られている（例えば特許文献１参照）。
【特許文献１】特開２００４−１１６３４号公報
【発明の開示】
【発明が解決しようとする課題】
【０００３】
一方、複数のリンクの連結構造としては、各リンクの互いに連結される部分にそれぞ軸支孔を設け、連結軸を対応する軸支孔間に挿通するものが公知である。クランクシャフトのクランクピンに連結されたリンクの場合には、クランクシャフトに設けられた潤滑油供給路から潤滑油を取り出して連結軸の潤滑に使用することができる。その場合にはリンク内に潤滑油路を設けることになり、その潤滑油路の軸支孔との連通構造にあっては、上記文献にも見られるように、連結軸の外周面に対して潤滑油路の軸線が略直交するような両者の位置関係となっている。
【０００４】
上記の場合には、連結軸の外周面に流出された潤滑油は連結軸の周方向に対して両方向に流れるようになるが、連結軸の回転が十分行われない場合には連結軸の全周に渡って潤滑油が行き渡らない虞がある。特に、上記文献に示された構造のストローク特性可変エンジンにあっては、クランクピンに連結されたリンクは揺動運動し、他のリンクとの連結部における連結軸は必ず１回転するとは限らないため、潤滑不足となる虞がある。
【０００５】
本発明は、このような従来技術の不都合を解消すべく案出されたものであり、その主な目的は、複数のリンクにおける潤滑性を向上し、軽量化かつ高剛性化の促進を実現するストローク特性可変エンジンを提供することにある。
【課題を解決するための手段】
【０００６】
このような課題を解決するために本発明の請求項１は、ピストン（３）とクランクシャフト（６）との間を連結する複数のリンク（４・５）と、前記複数のリンクの１つのリンク（５）に一端部を回動自在に連結されたコントロールリンク（１２）と、エンジン本体に移動自在に設けられかつ前記コントロールリンク（１２）の他端部を揺動自在に支持するコントロールシャフト（１３）とを有し、前記コントロールシャフト（１３）を移動させることでピストンストロークを変化させるようにしてなるストローク特性可変エンジンであって、前記各リンク同士を連結する連結軸（２１・２２）に潤滑油を供給するための潤滑油路（２７・２８）が少なくとも前記１つのリンク（５）に設けられ、前記潤滑油路（２７・２８）の前記連結軸（２１・２２）に臨む側の軸線が前記連結軸（２１・２２）の外周面の接線方向に向いていることを特徴とするものとした。
【０００７】
また請求項２の発明は、前記１つのリンク（５）が、前記クランクシャフト（６）のクランクピン（９）に回動自在に支持されるクランクピン孔（２５）を有し、当該クランクピン孔（２５）により前記クランクピン（９）を径方向に挟むように分割されかつボルト（２６）により結合された２つの分割体（５ａ・５ｂ）からなり、前記潤滑油が前記クランクピン（９）を介して前記クランクピン孔（２５）に供給され、前記潤滑油路（２７・２８）が、前記クランクピン孔（２５）に連通し、かつ前記ボルト（２６）から離れた側に設けられていることを特徴とするものとし、請求項３の発明は、前記１つのリンク（５）に２つの連結軸（２１・２２）が設けられ、前記１つのリンク（５）における前記２つの連結軸（２１・２２）を軸支する２つの軸支孔（２３・２４）と前記クランクピン孔（２５）との間の部分に薄肉部（２９）が形成され、前記潤滑油路（２７・２８）が、前記クランクピン孔（２５）の外周部分と前記２つの軸支孔（２３・２４）の各外周部分とを結ぶように延在しかつ前記薄肉部（２９）よりも厚くされた各突条部（３４・３５）内に形成されていることを特徴とするものとし、請求項４の発明は、前記１つのリンク（５）に前記２つの軸支孔（２３・２４）の各外周部分（３２・３３）間を連結するリブ（３６）が設けられ、かつ当該リブ（３６）が前記各突条部（３４・３５）にも連結されていることを特徴とし、請求項５の発明は、前記突条部（３４・３５）が、前記ボルト（２６）を受容するボルトボス部（３７）にも連結されていることを特徴とし、請求項６の発明は、前記潤滑油路（２７・２８）が、前記１つのリンク（５）の揺動範囲において、前記潤滑油路（２７・２８）が設けられていない他のリンク（４・１２）に対して前記クランクシャフト（６）の軸方向から見て重ならない部分を有することを特徴とし、請求項７の発明は、前記潤滑油路（２７・２８）が、前記ピストン（３）からの最大爆発荷重が前記連結軸（２１・２２）に作用する際に前記連結軸（２１・２２）と前記軸支孔（２３・２４）との隙間が大きくなる側に設けられていることを特徴とし、請求項８の発明は、前記潤滑油路（２７・２８）の中心と前記ボルト（２６）を挿入するボルト孔（３７ａ）の中心とが前記クランクシャフト（６）の軸方向にずれて配設されていることを特徴とするものとした。
【発明の効果】
【０００８】
このように、本発明の請求項１によれば、供給される潤滑油の流れの方向が連結軸の外周の接線方向になることから、リンクが揺動する際にリンクと連結軸との間に潤滑油が回り込み易くなり、潤滑性が大幅に向上するため、リンク運動が円滑化され、エンジンの効率を向上し得る。
【０００９】
また、請求項２によれば、ボルト締結部との干渉を避けて潤滑油路を形成できるので、油路構造が複雑になることがない。請求項３によれば、各軸支孔回りの剛性を容易に高めることができる。請求項４によれば、より一層各軸支孔回りの剛性を高めることができる。さらに、請求項５によれば、軽量化のためリンクを薄肉化して形成した場合に、ボルトを受容する部分が薄肉部分よりも厚くなるため、その厚くなった部分を利用して潤滑油を形成する部分の剛性をより一層高めることができ、リンク全他の高剛性化にも寄与し得る。また、請求項６によれば、１つのリンクに設ける潤滑油路が、クランク軸方向から見て、エンジン運転中の動き（１つのリンクの揺動範囲）による他のリンクと重ならない部分を有するように延在することにより、少なくともその部分の油路の大きさ等を他のリンクによる制約を受けることなく自由に設計でき、潤滑油路の設計自由度が向上する。また、請求項７によれば、連結軸とリンクの軸支孔との間の隙間に潤滑油を供給し易くなるので、リンク運動がより一層円滑化され、エンジンの効率向上に寄与し得る。また、請求項８によれば、潤滑油路とボルト孔とを近接配置してもリンクの剛性低下を抑制できる。
【発明を実施するための最良の形態】
【００１０】
以下に添付の図面を参照して本発明について詳細に説明する。
【００１１】
図１〜図４は、本発明が適用されたストローク特性可変エンジンの一例としての可変圧縮比エンジンのシリンダヘッドから上方を省略して示す概略構成図である。なお、シリンダヘッドに設けられる動弁機構や吸気系および排気系については、在来の４サイクルエンジンと何ら変わるところはない。このエンジン１のシリンダ２に摺合したピストン３は、第１リンク４及び本願発明における１つのリンクとしての第２リンク５の２つのリンクを介してクランクシャフト６に連結されている。
【００１２】
クランクシャフト６は、基本的に通常の固定圧縮比エンジンと同様の構成であり、クランクケース７内に支持されたクランクジャーナル８（クランクシャフトの回転中心）から偏心したクランクピン９を備えており、シーソー式に揺動する第２リンク５の中間部がクランクピン９に支持されている。第１リンク４の一端の小端部４ａがピストンピン１０に連結され、他端の大端部４ｂが第２リンク５の一端部５ａと連結されている。なお、クランクシャフト６には、主としてピストン運動の回転１次振動成分を低減するためのカウンタウェイトが設けられているが、これも在来のレシプロエンジンと同様なので省略する。
【００１３】
第２リンク５の他端部５ｂには、通常のエンジンにおけるピストンとクランクシャフトとを連結するコネクティングロッドと同一構成のコントロールリンク１２の一端の小端部１２ａがピン結合されている。そしてコントロールリンク１２の他端の大端部１２ｂは、クランクケース７に回動自在に支持され且つクランクシャフト６と平行に延設されたコントロールシャフトとしてのエキセントリックシャフト１３の軸心から偏心している偏心軸１３ａに、２つ割り構造の軸受け孔１４をもって連結されている。これにより、エキセントリックシャフト１３によりコントロールリンク１２の他端部としての大端部１２ｂが揺動自在に支持されている。
【００１４】
エキセントリックシャフト１３は、コントロールリンク１２の大端部１２ｂをクランクケース７内で所定範囲（例えば約９０度）を移動可能に支持しており、クランクケース７の外方へ突出した軸端に設けられた油圧駆動機構により、エンジン１の運転状態に応じてその回動角が連続的に変化させられ、且つ任意の角度で保持されるようになっている。
【００１５】
このエンジン１によると、エキセントリックシャフト１３を回動させることにより、コントロールリンク１２の大端部１２ｂの位置が、図１、２に示した位置（水平方向内向き／低圧縮比状態）と図３、４に示した位置（垂直方向下向き／高圧縮比状態）との間で変化し、クランクシャフト６の回転に伴う第２リンク５の揺動角度が変化する。これにより、ピストン３とクランクシャフト６とを連結するコネクティングロッドの長さが、ピストン３の運動に応じて連続的に変化するかのような作用を発揮し、且つエキセントリックシャフト１３の回動によってコントロールリンク１２のクランクケース７に対する支持端の位置を変化させることにより、コネクティングロッドの長さの変化率を任意に設定することができる。
【００１６】
このようにして、シリンダ２内でのピストン３のストローク範囲、即ち、ピストン３の上死点位置及び下死点位置が、図２に符号Ａで示す範囲と図４に符号Ｂで示す範囲との間で連続的に変化することとなる。つまり、第１、第２リンク４・５、コントロールリンク１２、及びエキセントリックシャフト１３によってピストンストローク特性可変機構が構成され、これらにより、圧縮比及び排気量の少なくともいずれか一方を連続的に変化させるストローク特性可変機能がもたらされる。
【００１７】
次に、第２リンク５と各リンク４・１２との連結部分について図５を参照して以下に示す。図５に示されるように第２リンク５と第１リンク４及びコントロールリンク１２とはそれぞれ連結軸２１・２２を介して連結されている。第２リンク５には各連結軸２１・２２を回動自在に軸支する各軸支孔２３・２４が設けられている。なお、各連結軸２１・２２と各リンク４・１２との関係にあっては、圧入などにより固定されていても良いが、サークリップなどによりリンク４・１２に連結軸２１・２２を回転可能に組み付けても良い。回転可能な場合には、潤滑油の連結軸２１・２２に対する接線方向の流れにより、連結軸２１・２２の回転を助長することができ、連結軸２１・２２の回転により潤滑性が大幅に向上するため、リンク運動が一層円滑化される。
【００１８】
また、第２リンク５には、上記したようにその中間部でクランクピン９を支持しており、そのためのクランクピン孔２５が設けられている。なお、第２リンク５は、クランクピン９を径方向に挟むようにクランクピン孔２５を直径部分で分割された２つの分割体としての本体５ａとキャップ５ｂとからなり、クランクピン孔２５を挟んで配設された一対のボルト２６により結合されている。
【００１９】
クランクピン孔２５の潤滑は、通常のエンジンと同様であって良く、図６に示されるようにエンジン１に設けられたオイルポンプＰからクランクシャフト６に送油された潤滑油を通す給油路９ａがクランクピン９の内部に設けられ、その給油路９ａとクランクピン９の外周面とが例えば２本の分岐路９ｂ・９ｃにより連通している。このようにしてクランクピン孔２５とクランクピン９との間に潤滑油が供給されるようになっている。
【００２０】
さらに、クランクピン孔２５と各軸支孔２３・２４とを連通する各潤滑油路２７・２８が第２リンク５（本体５ａ）の内部に設けられている。クランクピン孔２５に供給された潤滑油が各潤滑油路２７・２８を通って各軸支孔２３・２４に供給される。
【００２１】
そして、各潤滑油路２７・２８の各軸支孔２３・２４に対する開口位置は図に示されるように各軸支孔２３・２４の内周面の接線方向に臨むように設けられている。言い換えると、各潤滑油路２７・２８の軸線の延長線が対応する各連結軸２１・２２の外周面の接線と略一致するようにされている。
【００２２】
このようにすることにより、潤滑油路２７から軸支孔２３に供給される潤滑油の流出方向は図６の矢印Ｃに示されるように軸支孔２３の内周面を一方向に流れる向きになる。したがって、軸支孔２３に軸支される連結軸２１にあっては、常に周方向の一方向に潤滑油が流れるようになり、その方向に回転し易くなるため、連結軸２１の全周に潤滑油が行き渡るようになる。なお、軸支孔２４（連結軸２２）においても同様である。
【００２３】
これにより、揺動運動する第２リンク５に連結された連結軸２１・２２にあっては、そのままでは１回転しないこともあり得るが、上記したように一方向に潤滑油が流れるため同方向へ回転し易くなる。したがって、連結軸２１・２２の回転を助長することができ、連結軸２１・２２の回転により潤滑性が大幅に向上するため、リンクの運動が円滑化し、機械効率が向上する。
【００２４】
また、第２リンク５において、各潤滑油路２７・２８はボルト２６が締結された部分に対して離れた部分に設けられている。さらに、クランクピン孔２５から各軸支孔２３・２４に至る方向がボルト２６に対して離れる側である。このようにすることにより、潤滑油路２７・２８のレイアウトにおいてボルト２６との干渉が避けられるため、図に示されるように直線状に設けることができるなど、潤滑油路２７・２８が複雑化することがない。なお、潤滑油路２７・２８の経路としては直線に限られず、折れ線や曲線状であっても良いが、そのような場合には、軸支孔２３・２４への開口近傍の軸線方向を連結軸２１・２２の外周（軸支孔２３・２４の内周）の接線方向とする。
【００２５】
また、第２リンク５にあっては、軽量化のためできるだけ肉抜きしており、クランクピン孔２５と各軸支孔２３・２４との間などには、図７に併せて示されるように薄肉にした薄肉部２９が設けられている。それに対して、クランクピン孔２５及び各軸支孔２３・２４は必要な軸線方向長さを有するように、それぞれを外囲するボス状の各ボス部３１・３２・３３が形成されている。
【００２６】
一方、各潤滑油路２７・２８の必要な孔径を確保するために薄肉部２９よりも厚さ方向に膨出された各突条部３４・３５を形成し、各突条部３４・３５内に各潤滑油路２７・２８が形成されている。そして、各突条部３４・３５の長手方向（各潤滑油路２７・２８の軸線方向）両端部が各ボス部３１・３２・３３に連結されており、それにより、各ボス部３１・３２・３３すなわち各孔２３・２４・２５の回りの剛性が高まり、リンク運動が安定化する。
【００２７】
また、各軸支孔２３・２４の各ボス部３１・３２間には壁状のリブ３６が設けられており、リブ３６を介して両ボス部３１・３２が連結されている。さらに、リブ３６の各ボス部３１・３２への連結部分は各突条部３４・３５にも連結されており、これにより、各ボス部３１・３２にとっては、各突条部３４・３５のみならずリブ３６とも連結されることになるため、より一層高い剛性を確保し得る。そして、上記したように各突条部３４・３５及びリブ３６同士も連結されていることにより、より一層剛性を高くし得る。そのような高剛性化のために全体を厚く形成することなく、また必要な潤滑油路２７・２８を形成するための突条部３４・３５を利用することから、軽量化も達成し得る。
【００２８】
さらに、比較的太いボルト２６を受容する部分も薄肉部２９よりも厚いボルトボス部３７として形成されており、そのボルトボス部３７と突条部３４・３５との各最接近部同士間も連結されている。図示例では、図７に示されるように両者間に薄肉部２９よりも厚い厚肉部３８を介して連結されている。これにより、潤滑油路２７・２８においてボルトボス部３７と連結された部分の剛性が高まり、別個に剛性部分を形成することなく、高剛性化を促進し得る。なお、厚肉部３８は、ボルトボス部３７または突条部３４・３５のどれかの延長として形成しても良い。
【００２９】
また、第２リンク５における潤滑油路２７・２８を設けた部分が、図８に示されるように他のリンク４・１２の揺動範囲ＳＷ１・ＳＷ２に対して、クランクシャフト６の軸方向（図面の表裏方向）から見て重ならない部分を有するようにされている。すなわち、第２リンク５において、各リンク４・１２の連結部分となる大端部４ｂ・小端部１２ａと重なる各ボス部３２・３３を除いた部分では各潤滑油路２７・２８に対して各リンク４・１２がそれぞれの揺動範囲ＳＷ１・ＳＷ２で重なることがない。具体的には突条部３４・３５を設けた部分であり、図示例のように突条部３４・３５を設けたり、他の任意の形状にしたりすることができ、その部分に設ける潤滑油路２７・２８の孔の形状や大きさなどを自由に設計できる。したがって、潤滑油路２７・２８の設計自由度が向上し得る。
【００３０】
また、図９に示されるように、第１リンク４の大端部４ａが二股状に形成されていて良く、その二股部分に挟まれるように第２リンク５の対応する部分（ボス部３２）が設けられている。このような連結構造において、上記重ならない構造を採用すると特に有効である。もちろん、連結構造にあっては、連結軸２１を相対的に片持ち支持するようにして両リンク４・５同士を連結しても良く、その場合には第１リンク４の片側で第２リンク５が揺動することから、他の側の形状（第２リンク５の厚さなど）を自由に設計でき、したがって潤滑油路３４の設計も自由である。なお、コントロールリンク１２との間にあっても同様であり、その図示及び説明は省略する。また、連結軸２１（２２）を中実のピン形状にしたが、軽量化を促進するために中空の円筒形状にしても良い。
【００３１】
また、最大爆発荷重が連結軸２１・２２に作用する際に連結軸２１・２２と軸支孔２３・２４との隙間が大きくなる側に設けられている。すなわち、図３に示されるピストン３に爆発行程時の最大荷重が作用する状態で、図の一点鎖線に示されるように、ピストン３及び第１リンク４の連結中心（ピストンピン中心）Ｃａとクランクピン９の中心Ｃｂとを結ぶ線Ｌに対して、連結軸２１の中心Ｃｃが位置する側とは反対側に潤滑油路２７の連結軸２１に対する接線方向に延在する部分が位置するようにされている。これにより爆発時に、図１０に示されるように、連結軸２１と軸支孔２３との隙間において潤滑油路２１側の隙間ｄ１の方が相反する側の隙間ｄ２よりも大きくなる（ｄ１＞ｄ２）ため、潤滑油がより一層円滑に供給され得る。また、連結軸２２と軸支孔２４との隙間においても、潤滑油路２８側の隙間ｄ３が連結軸２２を挟んで相反する側の隙間ｄ４よりも大きくなる（ｄ３＞ｄ４）ようにされており、上記と同様に潤滑油供給の円滑化が促進される。
【００３２】
また、図１１に示されるように、潤滑油路２７・２８の中心とボルト２６を挿入するボルト孔３７ａの中心とがクランクシャフト６の軸方向にずれて配設されていると良い。なお、図１１は図７に対応する図であり、上記図示例と同様の部分には同一の符号を付してその詳しい説明を省略する。図１１では、ボルト孔３７ａの中心に対して潤滑油路２７の中心がクランクシャフト６の軸方向に対して偏倚量ｅ１だけ相対的にずれているものが示されている。このようにすることにより、ボルト孔３７ａと潤滑油路２７とを第２リンク５の面に沿う方向に対して互いに近接させても、両者の最接近位置の間隔（肉厚）が長く保たれるため、第２リンク５の剛性低下を抑制することができる。また、図１２に別の例を示す。図１２にあっては、潤滑油路２７の代わりに２本の潤滑油路２７ａ・２７ｂを設けたものである。例えば、第２リンク５とリンク４（１２）との連結構造において上記とは逆に第２リンク５側を二股として、リンク４（１２）を１本形状とした場合であって良い。この場合には、第２リンク５の連結部における二股に対応するべく図のように２本の潤滑油路２７ａ・２７ｂを設けることになる。そして、ボルト孔３７ａの中心に対して各潤滑油路２７ａ・２７ｂの中心がクランクシャフト６の軸方向に対して偏倚量ｅ２ずつ相対的にずれていることになり、その作用効果は上記と同様である。
【００３３】
なお、本発明は、クランク軸を鉛直方向とした船外機などのような船舶推進機用エンジンにも適用可能である。
【図面の簡単な説明】
【００３４】
【図１】本発明が適用されたエンジンの低圧縮比状態でのピストン上死点位置を示す縦断面図である。
【図２】本発明が適用されたエンジンの低圧縮比状態でのピストン下死点位置を示す縦断面図である。
【図３】本発明が適用されたエンジンの高圧縮比状態でのピストン上死点位置を示す縦断面図である。
【図４】本発明が適用されたエンジンの高圧縮比状態でのピストン下死点位置を示す縦断面図である。
【図５】第２リンクの外観を示す正面図である。
【図６】潤滑油路を示す第２リンクの要部破断図である。
【図７】図５の矢印ＶII−ＶII線に沿って見た断面図である。
【図８】リンクの揺動範囲と潤滑油路との関係を示す説明図である。
【図９】図８の矢印ＩＸ−ＩＸ線に沿って見た要部拡大断面図である。
【図１０】連結軸と軸支孔との隙間の関係を示す図である。
【図１１】ボルト孔と潤滑油路とのずれを示す例を示す図である。
【図１２】ボルト孔と潤滑油路とのずれを示す他の例を示すである。
【符号の説明】
【００３５】
３  ピストン
４・５  リンク
５ａ・５ｂ  分割体
６  クランクシャフト
９  クランクピン
１２  コントロールリンク
１３  エキセントリックシャフト
２１・２２  連結軸
２３・２４  軸支孔
２５  クランクピン孔
２６  ボルト
２７・２８  潤滑油路
２９  薄肉部
３１・３２  ボス部（外周部分）
３４・３５  突条部
３６  リブ
３７  ボルトボス部
【図１】
2008064056.tif 000003
【図２】
2008064056.tif 000004
【図３】
2008064056.tif 000005
【図４】
2008064056.tif 000006
【図５】
2008064056.tif 000007
【図６】
2008064056.tif 000008
【図７】
2008064056.tif 000009
【図８】
2008064056.tif 000010
【図９】
2008064056.tif 000011
【図１０】
2008064056.tif 000012
【図１１】
2008064056.tif 000013
【図１２】
2008064056.tif 000014